(57)【要約】【課題】電源オフにより半導体発光素子を速やかに消灯することができる電源装置及び照明器具を提供する。【解決手段】スイッチングトランジスタ１７のオンオフによりスイッチングトランス１６の二次巻線１６ｂを通して放出されるエネルギーを整流平滑回路２３により直流出力に変換し、この直流出力により発光ダイオード２４〜２７を点灯させるような電源装置であって、発光ダイオード２４〜２７の直列回路と並列に、スイッチ部１５１と電荷消費手段としての抵抗２８の直列回路を接続し、電源オフ検出部１５による電源オフ検出時の検出信号によりスイッチ部１５１をオン動作して電源オフ直後に整流平滑回路２３の平滑コンデンサ２２に残留する電荷を抵抗２８により強制的に消費させる。【選択図】      図３
2009189183.tif 000002
【特許請求の範囲】
【請求項１】
スイッチング手段により駆動され、交流電源の交流電力より整流平滑手段を介して直流出力を生成する直流出力生成手段と；
前記直流出力生成手段より生成される直流出力により点灯される半導体発光素子と；
前記交流電源のオフにより前記整流平滑手段より前記半導体発光素子に供給される前記整流平滑手段に残留する電荷を消費する電荷消費手段と；
を具備したことを特徴とする電源装置。
【請求項２】
前記直流出力生成手段は、前記半導体発光素子の光量を調整する調光手段を有することを特徴とする請求項１記載の電源装置。
【請求項３】
直流出力生成手段は、前記スイッチング手段のスイッチング動作を制御する制御手段を有し、
前記電荷消費手段は、前記交流電源のオフにより前記整流平滑手段に残留する電荷を前記制御手段の電源として供給し消費させることを特徴とする請求項１記載の電源装置。
【請求項４】
請求項１乃至３のいずれか一記載の電源装置と；前記電源装置を有する器具本体と：を具備したことを特徴とする照明器具。
【発明の詳細な説明】
【技術分野】
【０００１】
本発明は、例えば発光ダイオードなどの半導体発光素子の駆動に最適な電源装置及び照明器具に関するものである。
【背景技術】
【０００２】
最近、発光ダイオードなどの半導体発光素子の電源として、スイッチング手段を用いた直流の電源装置が多く用いられている。
【０００３】
そして、この種の電源装置として、特許文献１に開示されるようにＤＣ−ＤＣコンバータの出力電圧を検出する電圧検出回路と、ＤＣ−ＤＣコンバータから発光ダイオードに供給する出力電流を検出する電流検出回路とを有し、これら電圧検出回路と電流検出回路の検出電圧と検出電流に基づいてＤＣ−ＤＣコンバータの出力を調整するようにしたものが知られている。また、この特許文献１には、外部から与えられる調光信号に応じて発光ダイオードの光量を調整する調光機能を有することも開示されている。
【特許文献１】特開２００６−２１０８３５号公報
【発明の開示】
【発明が解決しようとする課題】
【０００４】
ところで、このような電源装置に用いられるＤＣ−ＤＣコンバータで、例えばフライバック方式のものは、スイッチングトランスを有し、このトランスの一次巻線に直流入力を供給するとともに、スイッチング素子のオン状態でスイッチングトランスの一次巻線に励磁エネルギーを蓄積し、スイッチング素子のオフ状態でスイッチングトランスの一次巻線に蓄積された励磁エネルギーを二次巻線から出力し、この二次巻線から出力される交流出力を整流平滑回路のダイオードを通して整流し、平滑コンデンサにより平滑して直流出力として発光ダイオードに供給するようにしている。
【０００５】
ところが、このような電源装置によると、例えば、トランスの一次巻線への入力供給を断った電源オフ直後では、整流平滑回路の平滑コンデンサに溜まった電荷がそのまま残っている。このため、電源をオフした場合も、平滑コンデンサの残留電荷が発光ダイオードに供給され、発光素子が消灯せずに点灯し続けることがある。このことは、特に、調光機能を有するものでは、発光ダイオードの光量を低下させている軽負荷動作時（所謂、深い調光時）に電源オフしたような場合、整流平滑回路の平滑コンデンサに残留する電荷量に対して負荷（発光ダイオード）側のインピーダンスが大きいため、残留電荷を速やかに消費することができず、電源をオフした後も、しばらくは発光ダイオードに電荷が供給され点灯し続けてしまうという問題を生じる。
【０００６】
本発明は上記事情に鑑みてなされたもので、電源オフにより半導体発光素子を速やかに消灯することができる電源装置及び照明器具を提供することを目的とする。
【課題を解決するための手段】
【０００７】
請求項１記載の発明は、スイッチング手段により駆動され、交流電源の交流電力より整流平滑手段を介して直流出力を生成する直流出力生成手段と；前記直流出力生成手段より生成される直流出力により点灯される半導体発光素子と；前記交流電源のオフにより前記整流平滑手段より前記半導体発光素子に供給される前記整流平滑手段に残留する電荷を消費する電荷消費手段と；を具備したことを特徴としている。
【０００８】
請求項２記載の発明は、請求項１記載の発明において、前記直流出力生成手段は、さらに前記半導体発光素子の光量を調整するための調光手段を有することを特徴としている。
【０００９】
請求項３記載の発明は、請求項１記載の発明において、前記直流出力生成手段は、前記スイッチング手段のスイッチング動作を制御する制御手段を有し、前記電荷消費手段は、前記交流電源のオフにより前記整流平滑手段に残留する電荷を前記制御手段の電源として供給し消費させることを特徴としている。
【００１０】
請求項４記載の発明は、請求項１乃至３のいずれか一記載の電源装置と、前記電源装置を有する器具本体とを具備したことを特徴とする照明器具である。
【発明の効果】
【００１１】
請求項１記載の発明によれば、電源オフにより半導体発光素子を速やかに消灯することができる電源装置を提供できる。
【００１２】
請求項２記載の発明によれば、調光制御時においても電源オフにより半導体発光素子を速やかに消灯することができる。
【００１３】
請求項３記載の発明によれば、電源オフにより整流平滑手段の残留電荷を制御手段の電源で消費させることにより半導体発光素子を速やかに消灯することができる。
【００１４】
請求項４記載の発明によれば、電源オフにより半導体発光素子を速やかに消灯することができる照明器具を提供できる。
【発明を実施するための最良の形態】
【００１５】
以下、本発明の実施の形態を図面に従い説明する。
【００１６】
（第１の実施の形態）
まず、本発明の電源装置が適用される照明器具について簡単に説明する。図１及び図２において、１は器具本体で、この器具本体１は、アルミニウムのダイカスト製のもので、両端を開口した円筒状をしている。この器具本体１は、内部を仕切り部材１ａ、１ｂにより上下方向に３分割され、下方開口と仕切り部材１ａの間の空間は、光源部２に形成されている。この光源部２には、半導体発光素子としての複数のＬＥＤ２ａと反射体２ｂが設けられている。複数のＬＥＤ２ａは、仕切り部材１ａ下面に設けられた円盤状の配線基板２ｃの円周方向に沿って等間隔に配置され実装されている。
【００１７】
器具本体１の仕切り部材１ａと１ｂの間の空間は電源室３に形成されている。この電源室３は、仕切り部材１ａ上部に配線基板３ａが配置されている。この配線基板３ａには、前記複数のＬＥＤ２ａを駆動するための本発明の電源装置を構成する各電子部品が設けられている。この直流電源装置と複数のＬＥＤ２ａは、リード線４により接続されている。
【００１８】
器具本体１の仕切り板１ｂと上方開口の間の空間は、電源端子室５に形成されている。この電源端子室５は、仕切り板１ｂに電源端子台６が設けられている。この電源端子台６は、電源室３の電源装置に商用電源の交流電力を供給するための端子台で、電絶縁性の合成樹脂で構成されたボックス６ａの両面に電源ケーブル用端子部となる差込口６ｂ、送りケーブル用端子部となる差込口６ｃ及び電源線及び送り線を切り離すリリースボタン６dなどを有している。
【００１９】
図３は、このように構成された照明器具の電源室３に組み込まれる本発明の電源装置の概略構成を示している。
【００２０】
図３において、１１は交流電源で、この交流電源１１は、不図示の商用電源からなっている。この交流電源１１には、電源スイッチ１２を介して全波整流回路１３の入力端子が接続されている。電源スイッチ１２は、全波整流回路１３に供給される交流電源１１の交流電力のオンオフを選択操作する。全波整流回路１３は、交流電源１１からの交流電力を全波整流した出力を発生する。
【００２１】
全波整流回路１３の正負極の出力端子間には、リップル電流平滑用のコンデンサ１４が接続されている。また、このコンデンサ１４の両端には、電源オフ検出部１５が接続されるとともに、フライバックトランスであるスイッチングトランス１６の一次巻線１６ａとスイッチング手段としてのスイッチングトランジスタ１７の直列回路が接続されている。電源オフ検出部１５は、電源スイッチ１２の操作による交流電源のオフ（電源オフ）により検出信号を出力し、スイッチ部１５１をオン動作させる。この電源オフ検出部１５には、リレー回路や半導体回路などが考えられる。スイッチングトランス１６は、一次巻線１６ａと磁気的結合された二次巻線１６ｂを有している。
【００２２】
スイッチングトランス１６の一次巻線１６ａ両端には、コンデンサ１８と抵抗１９の並列回路と図示極性のダイオード２０の直並列回路からなるスナバ回路２１１が接続されている。このスナバ回路２１１は、スイッチングトランス１６の一次巻線１６ａに発生するフライバック電圧をコンデンサ１８による充電と抵抗１９の放電により吸収し、スイッチングトランス１６のリーケージインダクタンスにより発生するリンギング電圧をコンデンサ１８により吸収する。
【００２３】
スイッチングトランス１６の二次巻線１６ｂには、整流平滑手段として図示極性のダイオード２１と平滑コンデンサ２２からなる整流平滑回路２３が接続されている。この整流平滑回路２３は、スイッチングトランジスタ１７、スイッチングトランス１６とともに直流出力生成手段を構成し、スイッチングトランス１６の二次巻線１６ｂより発生する交流出力をダイオード２１で整流し、この整流出力を平滑コンデンサ２２により平滑して直流出力として発生する。
【００２４】
整流平滑回路２３の平滑コンデンサ２２両端には、負荷として、半導体発光素子である複数個（図示例では４個）直列に接続された発光ダイオード２４〜２７（図２で述べたＬＥＤ２ａに相当する。）が接続されている。
【００２５】
発光ダイオード２４〜２７の直列回路には、スイッチ部１５１と電荷消費手段としてインピーダンス素子である抵抗２８の直列回路が並列に接続されている。スイッチ部１５１は、上述した電源オフ検出部１５による電源オフ検出時の検出信号によりオン動作される。抵抗２８は、発光ダイオード２４〜２７の直列回路の抵抗値より小さな抵抗値を有するもので、電源オフ直後に整流平滑回路２３のコンデンサ２２に残留する電荷を強制的に消費する。
【００２６】
発光ダイオード２４〜２７の直列回路には、電流検出部２９が直列に接続されている。電流検出部２９は、発光ダイオード２４〜２７に流れる電流を検出し、この検出電流に応じた検出信号を出力する。
【００２７】
電流検出部２９には、制御手段として制御回路３０が接続されている。制御回路３０は、不図示の電源部により駆動されるもので、その動作によりスイッチングトランジスタ１７をオンオフさせてスイッチングトランス１６をスイッチング駆動する。この場合、制御回路３０は、電流検出部２９の検出信号と不図示の基準値とを比較し、この比較結果に基づいてスイッチングトランジスタ１７のオンオフ動作を制御し、発光ダイオード２４〜２７に流れる電流を一定に制御する。
【００２８】
制御回路３０には、調光手段として調光操作部３１が接続されている。調光操作部３１は、発光ダイオード２４〜２７の光量を調整するための調光信号を制御回路３０に入力する。制御回路３０は、調光操作部３１からの調光信号に応じて前記基準値を変更し、この変更した基準値に基づいてスイッチングトランジスタ１７をオンオフ動作させることで、発光ダイオード２４〜２７の光量を、例えば定格の０〜１００％の範囲で調整可能にしている。
【００２９】
次に、このように構成した実施の形態の作用を説明する。
【００３０】
まず、電源スイッチ１２により全波整流回路１３に供給される交流電源１１の交流電力をオン（電源オン）にすると、交流電源１１の交流電力が全波整流回路１３で全波整流され、リップル電流平滑用のコンデンサ１４で平滑されてスイッチングトランス１６及びスイッチングトランジスタ１７に供給される。この場合、電源オフ検出部１５は、電源スイッチ１２の操作による電源オンにより検出信号を発生することがなく、スイッチ部１５１をオフにしている（図１はこの状態を示している。）。
【００３１】
この状態で、制御回路３０によるスイッチングトランジスタ１７のオンオフによりスイッチングトランス１６がスイッチング駆動される。この場合、スイッチングトランジスタ１７のオンでスイッチングトランス１６の一次巻線１６ａに電流を流してエネルギーを蓄積し、スイッチングトランジスタ１７のオフで、一次巻線１６ａに蓄積したエネルギーを二次巻線１６ｂを通して放出する。これにより整流平滑回路２３を介して直流出力が発生し、この直流出力により発光ダイオード２４〜２７が点灯される。
【００３２】
発光ダイオード２４〜２７に流れる電流は、電流検出部２９で検出され、この検出電流に応じた検出信号が制御回路３０に出力される。制御回路３０は、電流検出部２９からの検出信号と不図示の基準値との比較結果に基づいてスイッチングトランジスタ１７をオンオフ動作を制御し、発光ダイオード２４〜２７に流れる電流を一定に制御する。また、この状態で、調光操作部３１より発光ダイオード２４〜２７の光量を調整するための調光信号が入力されると、この調光信号により制御回路３０は、不図示の基準値を変更し、この変更した基準値に基づいてスイッチングトランジスタ１７をオンオフ動作させる。これにより発光ダイオード２４〜２７に流れる電流は変更され、発光ダイオード２４〜２７の光量が、例えば定格の０〜１００％の範囲で調整される。
【００３３】
この状態から、電源スイッチ１２により全波整流回路１３に供給される交流電源１１の交流電力をオフ（電源オフ）にすると、スイッチングトランス１６より整流平滑回路２３を介して発光ダイオード２４〜２７に供給されていた直流出力が停止する。また、これと同時に、電源オフが電源オフ検出部１５により検出され、この検出信号によりスイッチ部１５１がオンし、発光ダイオード２４〜２７の直列回路と並列に抵抗２８が接続される。
【００３４】
これにより電源オフ直後に、整流平滑回路２３の平滑コンデンサ２２に残留する電荷は、スイッチ部１５１を介して抵抗２８に供給され消費されるので、発光ダイオード２４〜２７に供給される平滑コンデンサ２２の残留電荷は速やかに除去され、電源オフにより発光ダイオード２４〜２７は直ちに消灯される。
【００３５】
このことは、特に、調光操作部３１による調光制御により発光ダイオード２４〜２７の光量を低下して点灯している軽負荷動作時（所謂、深い調光時）に電源オフしたような場合、平滑コンデンサ２２に残留する電荷量に対し負荷（発光ダイオード２４〜２７）のインピーダンスが大きいため、残留電荷を消費するのが難しいことがあったが、この場合、電源オフとともに、発光ダイオード２４〜２７の直列回路に並列接続される抵抗２８により平滑コンデンサ２２の電荷を強制的に消費させ、平滑コンデンサ２２の残留電荷を速やかに消滅させることができるので、このような調光制御時においても電源オフにより発光ダイオード２４〜２７を直ちに消灯することができる。
【００３６】
したがって、このようにすれば、スイッチングトランジスタ１７のオンオフによりスイッチングトランス１６の二次巻線１６ｂを通して放出されるエネルギーを整流平滑回路２３により直流出力に変換し、この直流出力により発光ダイオード２４〜２７を点灯させるような電源装置であって、発光ダイオード２４〜２７の直列回路と並列に、スイッチ部１５１と電荷消費手段としての抵抗２８の直列回路を接続し、電源オフ検出部１５による電源オフ検出時の検出信号によりスイッチ部１５１をオン動作して電源オフ直後に整流平滑回路２３の平滑コンデンサ２２に残留する電荷を抵抗２８により強制的に消費させるようにした。これにより、電源オフしたときに整流平滑回路２３の平滑コンデンサ２２に蓄積している電荷を速やかに消費することができるので、点灯時に電源オフしても直ちに発光ダイオード２４〜２７を消灯することができる。
【００３７】
また、調光操作部３１による調光制御により発光ダイオード２４〜２７の光量を低下して点灯している軽負荷動作時であっても、抵抗２８により平滑コンデンサ２２の電荷を強制的に消費させて電荷を速やかに消滅させることができるので、このような調光制御時においても電源オフにより発光ダイオード２４〜２７を直ちに消灯することができる。
【００３８】
これにより、電源オフにより発光ダイオード２４〜２７が不必要に点灯し続けるような事態を回避できるので、電源をオフにしたにも関わらず発光ダイオード２４〜２７が消灯しないことによるユーザの不安を一掃することができる。
【００３９】
（第２の実施の形態）
図４は、本発明の第２の実施の形態にかかる電源装置の概略構成を示すもので、図３と同一部分には同符号を付して説明を省略する。
【００４０】
この場合、電源スイッチ１２の操作による電源オフを検出する電源オフ検出部１５のスイッチ部１５２が発光ダイオード２４〜２７のうち、発光ダイオード２５、２６、２７の直列回路に並列に接続されている。スイッチ部１５２は、電源オフ検出部１５による電源オフの検出信号によりオン動作し、発光ダイオード２５〜２７を短絡して発光ダイオード２４のみを整流平滑回路２３に接続させる。
【００４１】
その他は、図３と同一である。
【００４２】
このようにすると、電源スイッチ１２により電源オンの状態では、スイッチ部１５２がオフしており、整流平滑回路２３に対し発光ダイオード２４〜２７が全て接続されている。この場合、発光ダイオード２４〜２７は、例えば、図５（ａ）に示すＶ−Ｉ特性（負荷特性）曲線上の動作点Ａにおいて電流Ｉ３により点灯されているものとする。
【００４３】
この状態から、電源スイッチ１２により全波整流回路１３に供給される交流電源１１の交流電力をオフ（電源オフ）にすると、電源オフ検出部１５の検出信号によりスイッチ部１５２がオン動作し、発光ダイオード２５〜２７が短絡され発光ダイオード２４のみが整流平滑回路２３に接続される。
【００４４】
この場合、電源オフによるスイッチ部１５２のオン動作により、発光ダイオード２４のみが整流平滑回路２３に接続された状態となって、図５（ａ）に示すＶ−Ｉ特性曲線上の動作点Ａが同図（ｂ）に示すＶ−Ｉ特性曲線の動作点Ｂに移行するようになり、発光ダイオード２４に大きな電流Ｉ２（＞Ｉ３）が流れる。これにより、整流平滑回路２３の平滑コンデンサ２２に残留する電荷は、速やかに消費され、発光ダイオード２４〜２７は、電源オフにより直ちに消灯される。
【００４５】
したがって、このようにしても、電源オフしたときの整流平滑回路２３の平滑コンデンサ２２に残留する電荷を速やかに消費することができるので、発光ダイオード２４〜２７の点灯時に電源オフしても速やかに発光ダイオード２４〜２７を消灯することができ、第１の実施の形態と同様な効果を得られる。
【００４６】
（第３の実施の形態）
図６は、本発明の第３の実施の形態にかかる電源装置の概略構成を示すもので、図３と同一部分には同符号を付して説明を省略する。
【００４７】
この場合、電源スイッチ１２の操作による電源オフを検出する電源オフ検出部１５の検出信号を制御回路３０に入力する。制御回路３０は、動作点切換え手段３０１を有している。動作点切換え手段３０１は、電源オフにより電源オフ検出部１５より検出信号が与えられると、例えば図７示すＶ−Ｉ特性曲線上の動作点Ｃを動作点Ａ（又はＢ）に移行させ、動作点を重負荷側に強制的に切換える。
【００４８】
その他は、図３と同一である。
【００４９】
このようにすると、電源スイッチ１２により電源オンの状態では、電源オフ検出部１５より検出信号が発生せず、発光ダイオード２４〜２７は、図７（ａ）に示すＶ−Ｉ特性曲線上の動作点Ｃで電流Ｉ３により点灯されている。
【００５０】
この状態から、電源スイッチ１２により全波整流回路１３に供給される交流電源１１の交流電力をオフ（電源オフ）にすると、電源オフ検出部１５の検出信号が制御回路３０の動作点切換え手段３０１に入力される。動作点切換え手段３０１は、電源オフ検出部１５の検出信号により図７に示すＶ−Ｉ特性曲線上の動作点Ｃを動作点Ａ(又はＢ)の重負荷側に強制的に切換え、発光ダイオード２４〜２７の制御量を変化させる。これにより、発光ダイオード２４〜２７に対して大きな電流Ｉ１（＞Ｉ３）が流れるようになり、整流平滑回路２３の平滑コンデンサ２２に残留する電荷は、速やかに消費され、発光ダイオード２４〜２７は、電源オフにより直ちに消灯される。
【００５１】
したがって、このようにしても、電源オフしたときの整流平滑回路２３の平滑コンデンサ２２に残留する電荷を速やかに消費することができるので、発光ダイオード２４〜２７の点灯時に電源オフしても速やかに発光ダイオード２４〜２７を消灯することができ、第１の実施の形態と同様な効果を得られる。
【００５２】
（第４の実施の形態）
図８は、本発明の第４の実施の形態にかかる電源装置の概略構成を示すもので、図３と同一部分には同符号を付して説明を省略する。
【００５３】
この場合、スイッチングトランス１６は、一次巻線１６ａと磁気的結合された二次巻線１６ｂの他に、さらに補助巻線１６ｃを有している。この補助巻線１６ｃの両端には、制御回路３０の電源部として図示極性方向のダイオード３３と平滑コンデンサ３４の直列回路が接続されている。平滑コンデンサ３４は、補助巻線１６ｃより交流出力が発生すると、この交流出力を整流するダイオード３３の出力により充電され、制御回路３０の電源端子３０ａ、３０ｂに対して駆動電源を供給する。また、ダイオード３３と平滑コンデンサ３４の接続点には、スイッチ部１５３を介して整流平滑回路２３を構成するダイオード２１と平滑コンデンサ２２の接続点に接続されている。スイッチ部１５３は、電源オフ検出部１５による電源オフの検出信号によりオン動作し、整流平滑回路２３の平滑コンデンサ２２に残留している電荷を強制的に制御回路３０の電源部を構成する平滑コンデンサ３４に供給して消費させる。
【００５４】
その他は、図３と同一である。
【００５５】
このようにすると、電源スイッチ１２により電源オンの状態では、スイッチ部１５３がオフしており、整流平滑回路２３の平滑コンデンサ２２は、制御回路３０の電源部より切り離されている。
【００５６】
この状態から、電源スイッチ１２により全波整流回路１３に供給される交流電源１１の交流電力をオフ（電源オフ）にすると、電源オフ検出部１５の検出信号によりスイッチ部１５３がオン動作する。これにより整流平滑回路２３の平滑コンデンサ２２に残留する電荷は、制御回路３０の電源部を構成する平滑コンデンサ３４に供給されて速やかに消費され、発光ダイオード２４〜２７は電源オフにより直ちに消灯される。
【００５７】
したがって、このようにしても、電源オフしたときの整流平滑回路２３の平滑コンデンサ２２に残留する電荷を速やかに消費することができるので、発光ダイオード２４〜２７の点灯時に電源オフしても速やかに発光ダイオード２４〜２７を消灯することができ、第１の実施の形態と同様な効果を得られる。
【００５８】
なお、制御回路３０が例えばマイコンのような換算素子やメモリのようなものからなる場合、電源をオフしたとき整流平滑回路２３の平滑コンデンサ２２に残留する電荷をマイコンに供給し、電源オフする直前の状態をマイコンのメモリに書き込むための電源として使用するようにもできる。
【００５９】
（第５の実施の形態）
図９は、本発明の第５の実施の形態にかかる電源装置の概略構成を示すもので、図３と同一部分には同符号を付して説明を省略する。
【００６０】
この場合、整流平滑回路２３を構成するダイオード２１と平滑コンデンサ２２の接続点とスナバ回路２１１を構成するコンデンサ１８と抵抗１９の接続点との間には、電源スイッチ１２の操作による電源オフを検出する電源オフ検出部１５のスイッチ部１５４と図示極性のダイオード３５の直列回路が接続されている。スイッチ部１５４は、電源オフ検出部１５による電源オフの検出信号によりオン動作し、整流平滑回路２３の平滑コンデンサ２２に残留する電荷を、ダイオード３５を介してスイッチングトランス１６の一次巻線１６ａ側（入力側）に戻して消費させるようにしている。
【００６１】
その他は、図３と同一である。
【００６２】
このようにすると、電源スイッチ１２により電源オンの状態では、スイッチ部１５２がオフしており、ダイオード３５は、整流平滑回路２３の平滑コンデンサ２２より切り離されている。
【００６３】
この状態から、電源スイッチ１２により全波整流回路１３に供給される交流電源１１の交流電力をオフ（電源オフ）にすると、電源オフ検出部１５の検出信号によりスイッチ部１５４がオン動作する。これにより整流平滑回路２３の平滑コンデンサ２２に残留する電荷は、ダイオード３５を通ってスイッチングトランス１６の一次巻線１６ａ（入力側）に戻され、一次巻線１６ａ側に接続されるスナバ回路２１１のコンデンサ１８及び抵抗１９などのインピーダンス素子や、不図示のインピーダンス素子により消費され、発光ダイオード２４〜２７は電源オフにより直ちに消灯される。
【００６４】
したがって、このようにしても、電源オフしたときの整流平滑回路２３の平滑コンデンサ２２に残留する電荷を速やかに消費することができるので、発光ダイオード２４〜２７の点灯時に電源オフしても速やかに発光ダイオード２４〜２７を消灯することができ、第１の実施の形態と同様な効果を得られる。
【００６５】
（第６の実施の形態）
図１０は、本発明の第６の実施の形態にかかる電源装置の概略構成を示すもので、図３と同一部分には同符号を付して説明を省略する。
【００６６】
この場合、発光ダイオード２４〜２７と直列に、遮断手段として電源スイッチ１２の操作による電源オフを検出する電源オフ検出部１５のスイッチ部１５５が接続されている。このスイッチ部１５４は、常時はオン動作していて（図１０はこの状態を示している。）、電源オフ検出部１５による電源オフの検出信号によりオフ動作し、発光ダイオード２４〜２７への電流供給路を強制的に遮断する。
【００６７】
その他は、図３と同一である。
【００６８】
このようにすると、電源スイッチ１２により電源オンの状態では、スイッチ部１５５がオンしており、整流平滑回路２３に対し発光ダイオード２４〜２７が接続され、整流平滑回路２３からの直流出力により点灯されている。
【００６９】
この状態から、電源スイッチ１２により全波整流回路１３に供給される交流電源１１の交流電力をオフ（電源オフ）にすると、電源オフ検出部１５の検出信号によりスイッチ部１５５がオフ動作し、発光ダイオード２４〜２７への電流供給路が強制的に遮断される。これにより、整流平滑回路２３の平滑コンデンサ２２に残留している電荷が発光ダイオード２４〜２７に供給されることがないので、発光ダイオード２４〜２７は、電源オフにより直ちに消灯される。
【００７０】
したがって、このようにしても、電源オフしたときの整流平滑回路２３の平滑コンデンサ２２に残留する電荷の発光ダイオード２４〜２７への影響を速やかに断つことができるので、発光ダイオード２４〜２７の点灯時に電源オフしても速やかに発光ダイオード２４〜２７を消灯することができ、第１の実施の形態と同様な効果を得られる。
【００７１】
なお、本発明は、上記実施の形態に限定されるものでなく、実施段階では、その要旨を変更しない範囲で種々変形することが可能である。例えば、上述した実施の形態では、発光ダイオード２４〜２７に流れる電流を常に一定にするように制御する定電流制御について述べたが、これに限らず、発光ダイオード２４〜２７に印加する電圧を常に一定にするように制御する定電圧制御を適用したものでもよい。さらに、上述した実施の形態では、半導体発光素子として発光ダイオードの例を述べたが、レーザダイオードなど他の半導体発光素子を用いた場合にも適用できる。さらに、上述した実施の形態では、交流電源１１を備えたものを述べているが、交流電源１１は、装置外部に設けられるものでもよい。
【００７２】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００７３】
【図１】本発明の第１の実施の形態にかかる電源装置が適用される照明器具を示す斜視図。
【図２】第１の実施の形態にかかる電源装置が適用される照明器具の断面図。
【図３】第１の実施の形態にかかる電源装置の概略構成を示す図。
【図４】本発明の第２の実施の形態にかかる電源装置の概略構成を示す図。
【図５】第２の実施の形態の動作を説明するための発光ダイオードのＶ−Ｉ特性を示す図。
【図６】本発明の第３の実施の形態にかかる電源装置の概略構成を示す図。
【図７】第３の実施の形態の動作を説明するための発光ダイオードのＶ−Ｉ特性を示す図。
【図８】本発明の第４の実施の形態にかかる電源装置の概略構成を示す図。
【図９】本発明の第５の実施の形態にかかる電源装置の概略構成を示す図。
【図１０】本発明の第６の実施の形態にかかる電源装置の概略構成を示す図。
【符号の説明】
【００７４】
１…器具本体、２…光源部、２ａ…ＬＥＤ
３…電源室、５…電源端子室
１１…交流電源、１２…電源スイッチ
１３…全波整流回路、１４…コンデンサ
１５…電源オフ検出部、１６…スイッチングトランス
１７…スイッチングトランジスタ、２３…整流平滑回路
２４〜２７…発光ダイオード、２８…抵抗
２９…電流検出部、３０…制御回路
３０１…動作点切換え手段、３１…調光操作部
１５１〜１５５…スイッチ部
【図１】
2009189183.tif 000003
【図２】
2009189183.tif 000004
【図３】
2009189183.tif 000005
【図４】
2009189183.tif 000006
【図５】
2009189183.tif 000007
【図６】
2009189183.tif 000008
【図７】
2009189183.tif 000009
【図８】
2009189183.tif 000010
【図９】
2009189183.tif 000011
【図１０】
2009189183.tif 000012